【手続補正書】
【提出日】平成16年5月24日(2004.5.24)
【手続補正１】
【補正対象書類名】明細書
【補正対象項目名】特許請求の範囲
【補正方法】変更
【補正の内容】
【特許請求の範囲】
【請求項１】
ポリフェノール酸化作用を有する酵素及び該酵素の基質を含むことを特徴とする木材保存剤。
【請求項２】
酵素の基質がフェノール性化合物及び／もしくは芳香族アミン化合物を含むことを特徴とする請求項１記載の木材保存剤。
【請求項３】
フェノール性化合物及び／もしくは芳香族アミン化合物が、リグニンもしくはリグニン誘導体である請求項２記載の木材保存剤。
【請求項４】
リグニン誘導体がリグニンスルホン酸もしくはリグニンスルホン酸塩である請求項３記載の木材保存剤。
【請求項５】
酵素の基質として、水不溶性の固形成分の一部を遠心分離もしくはろ過により除去したリグニン、リグニンスルホン酸またはリグニンスルホン酸塩を含むことを特徴とする請求項３または４記載の木材保存剤。
【請求項６】
フェノール性化合物及び／もしくは芳香族アミン化合物が、ＯＨ基及び／もしくはアミノ基の他に、ポリオキシエチレン、ポリエチレンイミン、または炭素数が１から２２の飽和もしくは不飽和のアルキル鎖を構造部分とする置換基を有する芳香族化合物である請求項２記載の木材保存剤。
【請求項７】
不飽和脂肪酸、不飽和アルコール、もしくは不飽和アルキル化合物を含むことを特徴とする請求項２〜６のいずれかに記載の木材保存剤。
【請求項８】
芳香剤、消臭剤、防錆剤、難燃化剤、抗菌剤、防腐剤、殺菌剤、防虫剤、抗ウィルス剤、または生物忌避剤から選ばれる少なくとも１種の薬剤を含むことを特徴とする請求項１〜７のいずれかに記載の木材保存剤。
【請求項９】
薬剤が、金属塩、金属化合物もしくは金属錯体の溶液または粉体である請求項８に記載の木材保存剤。
【請求項１０】
金属が、銅、砒素、亜鉛、クロム、ニッケル、アルミニウム、モリブデン、マグネシウム、または銀から選ばれる少なくとも１種の金属である請求項９記載の木材保存剤。
【請求項１１】
薬剤が、ホウ素塩、ホウ素系化合物もしくはホウ素含有錯体の溶液または粉体である請求項８に記載の木材保存剤。
【請求項１２】
薬剤が、ＯＨ基、アミノ基、ハロゲン、ニトロ基から選ばれる置換基を１つまたは複数有する芳香族化合物または環状化合物である請求項８に記載の木材保存剤。
【請求項１３】
ポリフェノール酸化作用を有する酵素がカテコールオキシダーゼ、ラッカーゼ、ポリフェノールオキシダーゼ、アスコルビン酸オキシダーゼ、またはビリルビンオキシダーゼである請求項１〜１２のいずれかに記載の木材保存剤。
【請求項１４】
ポリフェノール酸化作用を有する酵素が、ペルオキシダーゼ作用を有する酵素と過酸化水素を生成できるオキシダーゼの混合物である請求項１〜１２のいずれかに記載の木材保存剤。
【請求項１５】
ポリフェノール酸化作用を有する酵素が、ミロセシウム（Myrothecium）属菌類を培養して得られる酵素である請求項１〜１４のいずれかに記載の木材保存剤。
【請求項１６】
ポリフェノール酸化作用を有する酵素が、シリンガルダジンを用いる活性測定でｐＨ7.5以上のアルカリ側に至適反応ｐＨを示す酵素である請求項１〜１５のいずれかに記載の木材保存剤。
【請求項１７】
使用時に希釈するための高濃度溶液として、または使用時に溶解するための粉末もしくは造粒された粉末として調製された請求項１〜１６のいずれか記載の木材保存剤。
【請求項１８】
請求項１〜１７に記載の木材保存剤で処理された木材。
【手続補正２】
【補正対象書類名】明細書
【補正対象項目名】００１１
【補正方法】変更
【補正の内容】
【００１１】
すなわち本発明は以下のものを提供するものである。
［１］ポリフェノール酸化作用を有する酵素及び該酵素の基質を含むことを特徴とする木材保存剤。
［２］酵素の基質がフェノール性化合物及び／もしくは芳香族アミン化合物を含むことを特徴とする前記［１］記載の木材保存剤。
［３］フェノール性化合物及び／もしくは芳香族アミン化合物が、リグニンもしくはリグニン誘導体である前記［２］記載の木材保存剤。
［４］リグニン誘導体がリグニンスルホン酸もしくはリグニンスルホン酸塩である前記［３］記載の木材保存剤。
［５］酵素の基質として、水不溶性の固形成分の一部を遠心分離もしくはろ過により除去したリグニン、リグニンスルホン酸またはリグニンスルホン酸塩を含むことを特徴とする前記［３］または［４］記載の木材保存剤。
［６］フェノール性化合物及び／もしくは芳香族アミン化合物が、ＯＨ基及び／もしくはアミノ基の他に、ポリオキシエチレン、ポリエチレンイミン、または炭素数が１から２２の飽和もしくは不飽和のアルキル鎖を構造部分とする置換基を有する芳香族化合物である前記［２］記載の木材保存剤。
［７］不飽和脂肪酸、不飽和アルコール、もしくは不飽和アルキル化合物を含むことを特徴とする前記［２］〜［６］のいずれかに記載の木材保存剤。
［８］芳香剤、消臭剤、防錆剤、難燃化剤、抗菌剤、防腐剤、殺菌剤、防虫剤、抗ウィルス剤、または生物忌避剤から選ばれる少なくとも１種の薬剤を含むことを特徴とする前記［１］〜［７］のいずれかに記載の木材保存剤。
［９］薬剤が、金属塩、金属化合物もしくは金属錯体の溶液または粉体である前記［８］に記載の木材保存剤。
［１０］金属が、銅、砒素、亜鉛、クロム、ニッケル、アルミニウム、モリブデン、マグネシウム、または銀から選ばれる少なくとも１種の金属である前記［９］記載の木材保存剤。
［１１］薬剤が、ホウ素塩、ホウ素系化合物もしくはホウ素含有錯体の溶液または粉体である前記［８］に記載の木材保存剤。
［１２］薬剤が、ＯＨ基、アミノ基、ハロゲン、ニトロ基から選ばれる置換基を１つまたは複数有する芳香族化合物または環状化合物である前記［８］に記載の木材保存剤。
［１３］ポリフェノール酸化作用を有する酵素がカテコールオキシダーゼ、ラッカーゼ、ポリフェノールオキシダーゼ、アスコルビン酸オキシダーゼ、またはビリルビンオキシダーゼである前記［１］〜［１２］のいずれかに記載の木材保存剤。
［１４］ポリフェノール酸化作用を有する酵素が、ペルオキシダーゼ作用を有する酵素と過酸化水素を生成できるオキシダーゼの混合物である前記［１］〜［１２］のいずれかに記載の木材保存剤。
［１５］ポリフェノール酸化作用を有する酵素が、ミロセシウム（Myrothecium）属菌類を培養して得られる酵素である前記［１］〜［１４］のいずれかに記載の木材保存剤。
［１６］ポリフェノール酸化作用を有する酵素が、シリンガルダジンを用いる活性測定でｐＨ7.5以上のアルカリ側に至適反応ｐＨを示す酵素である前記［１］〜［１５］のいずれかに記載の木材保存剤。
［１７］使用時に希釈するための高濃度溶液として、または使用時に溶解するための粉末もしくは造粒された粉末として調製された前記［１］〜［１６］のいずれか記載の木材保存剤。
［１８］前記［１］〜［１７］に記載の木材保存剤で処理された木材。
以下本発明について詳細に説明する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】